(57)【要約】【課題】シャッタ装置の幅方向の小型化を図る。【解決手段】シャッタ地板へ枢着され、シャッタ走行方向と略同一方向へ回動する第１の平行リンクへ遮光羽根を枢支する第２の平行リンクを枢支するとともに、第２の平行リンクを構成する一対のアームのどちらかに第１の平行リンクへの枢支部を中心として、遮光羽根枢支部と反対側に腕部を設け、腕部はシャッタ地板に設けたシャッタ走行方向と直交する方向へ設けた長穴に係合させることで第１の平行リンクで第２の平行リンクを第１の平行リンクと逆方向へ回動させる。【選択図】　図１
2004004365.tif 000002
【特許請求の範囲】
【請求項１】
開口部を有するシャッタ地板へ枢着される一対のリンク部材と、前記一対のリンク部材の枢着部の他端側で前記一対のリンク部材を連結する連結部材で構成される第１の平行リンク部材と、複数の遮光羽根を枢支する一対のアーム部材とで構成される前記遮光羽根を有する第２の平行リンク部材を有し、前記遮光羽根を有する第２の平行リンク部材は前記第１の平行リンク部材上の前記連結部材の連結位置にてそれぞれ一対のアーム部材を枢支される事で、前記開口部を有するシャッタ地板上で前記第１の平行リンクの枢着部を略中心としてシャッタ走行方向へ向けて公転するとともに、公転時に自ら前記第１の平行リンク上で自転することで前記複数の遮光羽根群を移動させることを特徴とするシャッタ装置。
【請求項２】
前記第２の平行リンク部材は、移動開始から移動終了の間に前記第１の平行リンク部材を構成する一対のリンク部材と、前記第２の平行リンク部材を構成する一対のアーム部材が略一直線上に並ぶ状態を通過し、前記第１の平行リンク部材の枢着部を基点として前記第１の平行リンク部材と前記第２の平行リンク部材の配置が、移動開始時と移動終了時で互いに略逆配置になることを特徴とする請求項１に記載のシャッタ装置。
【請求項３】
前記遮光羽根を有する第２の平行リンク部材を構成する一対のアーム部材のどちらか一方に第１の平行リンク部材へ枢支される回転中心を原点として、前記遮光羽根を枢支する端部と略逆方向で先端部にシャッタ地板もしくはカバー板に設けたシャッタ走行方向と略直交する方向へ設けた長穴へ摺接する軸部を有する腕部を設け、前記第１の平行リンク部材を回動させ、前記遮光羽根を有する第２の平行リンク部材を公転移動させた時に、前記腕部に設けた軸をシャッタ地板もしくはカバー板に設けた長穴で移動規制を行うことにより前記第２の平行リンク部材を公転方向と逆方向へ自転させることを特徴とする請求項１又は２に記載のシャッタ装置。
【請求項４】
前記遮光羽根を有する第２の平行リンク部材を構成する一対のアーム部材のどちらか一方に第１の平行リンク部材へ枢支される回転中心を原点として、前記遮光羽根を枢支する端部と略逆方向に腕部を設け、一端をシャッタ地板へ回動自在に軸支され、他端部を前記第２の平行リンク部材を構成する一対のアームのどちらか一方に設けた腕部に回動自在に軸支されるレバー部材を設け、前記第１の平行リンク部材を回動させ、前記遮光羽根を有する第２の平行リンク部材を公転移動させた時に、前記腕部に軸支するレバー部材により移動規制を行うことにより前記第２の平行リンク部材を公転方向と逆方向へ自転させることを特徴とする請求項１又は２に記載のシャッタ装置。
【請求項５】
前記第１の平行リンク部材を構成する一対のリンク部材を連結する連結部材は遮光羽根により構成されることを特徴とする請求項１又は２に記載のシャッタ装置。
【請求項６】
前記第１の平行リンク部材を構成する一対のリンク部材を連結する遮光羽根は、複数の遮光羽根の中でシャッタ走行時に最も移動量の少ない遮光羽根であることを特徴とする請求項５に記載のシャッタ装置。
【請求項７】
請求項１から６のいずれかに記載のシャッタ装置を有することを特徴とするカメラ。
【発明の詳細な説明】
【０００１】
【発明の属する技術分野】
本発明は、複数の遮光羽根により構成されるフォーカルプレンシャッタ装置に関するものである。
【０００２】
【従来の技術】
フィルムへの開口部（例えば、１３５フィルムフォーマットでは３６ｍｍ×２４ｍｍの長方形）を開閉するフォーカルプレンシャッタ装置は、シャッタ地板へ枢着される主アームと従アームへ複数の遮光羽根のそれぞれ一端を枢支し、主アームおよび従アームと複数の遮光羽根によって平行リンクを構成し、主アームを回動させることで、複数の遮光羽根が走行方向に対し互いの平行状態を保って開口部へ展開することで閉口し、重畳することで開口するような移動を行う構成となっている。
【０００３】
このとき、図１８に示すように開口部４４３ａの短辺側（２４ｍｍ）を走行させるほうが長辺側（３６ｍｍ）を走行させるよりも開口部の開閉時間を速められるため、図２１に示すシャッタ地板の開口部外の短辺側（走行と直交方向）の側面Ｇ部付近へ主アームおよび従アームを枢着するようになっている。
【０００４】
また、開口部４４３ａに対し図１８のＩ方向（シャッタの幅方向）を小さくするため、特公昭５３−１２４４１８号公報において、主に図２１に示すシャッタ走行方向であるシャッタ地板の開口部外の長辺側（走行方向）の側面Ｈ部付近へ、上述したようなパンタグラフを枢着し、さらにパンタグラフを複数繋いで重畳、展開を行うように構成することで、主にシャッタの走行方向と直交する横方向を小さくできる遮光羽根群の構成について提案されている。
【０００５】
【発明が解決しようとする課題】
しかしながら、上記従来例のような遮光羽根においては、主アームおよび従アームで構成される平行リンクにより動作させられるため、動作に必要な主アームおよび従アームの回転角により、開口部４４３ａの短辺側を走行させる際に同時に開口部４４３ａの長辺方向へも移動してしまうため、図２１のＦ部幅を短縮するのに限界がある。
【０００６】
また、図２１のＧ領域についての小型化を図る場合、例えば主アームおよび従アームを短くすると、逆に主アームおよび従アームの回動角が大きくなり、また主アームおよび従アームを長くすると回動角は小さくなるが、Ｇ部のＩ部が長くなるため、アーム長と回動角のバランスの最適化が難しい。
【０００７】
また、特公昭５３−１２４４１８号公報のシャッタ装置では、上記の問題に対して図２１のＨ部領域に遮光羽根を駆動するアームを枢着することで主にシャッタ装置の幅方向の短縮を図るような構成となっているが、シャッタを駆動および秒時を制御するための図１９および図２０に示す４４３ｄ部のような磁気回路による吸着／解放動作等の部品を搭載することを考えると、この機構部は図２２に示すように４４３ｄ部はフィルム４４５と逆方面に設けなければならないので、シャッタ地板上のカメラ内部へ向けて設ける必要があるが、カメラ内においては図２２へ示すように自動焦点検出４５０を効果的に配置すると、図２１のＨ部領域は、自動焦点検出４５０が配置されるケースが殆どであるため、カメラ内部の構造から考えると自動焦点検出４５０をうまく回避して磁気回路による吸着／解放動作部品を設けなければならない。
【０００８】
このためシャッタ装置の形状がカメラの内部構造により特価されたものにならざるを得ないため、他のカメラへの転用が難しくなり、カメラ全体から考えてもコストがかかってしまう。
【０００９】
【課題を解決するための手段】
本発明では、シャッタ地板４４３上の図２１のＧ領域の開口部近傍へ枢着される主リンク及び従リンクと主リンクと従リンクの枢着部の他端となる先端部に回動可能に軸支され、主リンクと従リンクを回動可能に連結し、第１の平行リンクを形成し、遮光羽根群を枢支する主アーム及び従アームを主リンクと従リンクに枢支させる事で、第１の平行リンク上に遮光羽根群を有する第２の平行リンクを構成するとともに、遮光羽根群を枢支する主アーム上の部分と主リンクヘ枢支される回転中心で対向する部分に軸を有する腕部を設け、腕部の軸がシャッタ地板に形成されたシャッタ走行方向と直交する方向へ設けられた長穴に摺接する様にする事により、第１の平行リンクを構成する主リンクを駆動する事で第１の平行リンクが回動すると、第１の平行リンクヘ枢支された第２の平行リンクも移動するが、この移動時にシャッタ地板の長穴で主アームの腕部に設けた軸が移動方向の規制を受けるため、第１の平行リンクの回動方向と逆方向に第１の平行リンク上で遮光羽根群を有する第２の平行リンクをシャッタ走行方向へ移動させながら第２の平行リンクを回転させる事で遮光羽根を移動させる構成のため、第１の平行リンク上で回動する第２の平行リンク部材を短小化しても、図３に示すように第２の平行リンクの見かけ上の回動半径が大きく出来るため、特にシャッタ装置の幅方向の寸法を小さく出来るとともに、駆動部は従来と同様な位置へ設ける事が出来るため、自動焦点検出光学系の位置は従来通りでよく、様々なカメラにおいてシャッタ装置の共有化が可能となる。
【００１０】
【発明の実施の形態】
（第１実施形態）
図１から図８までに本実施形態のシャッタ装置を示す。図１はシャッタ装置（フォーカルプレンシャッタ装置）の開口部を閉じた状態を示す図、図２は開口部を開いた状態を示す図、図３は作動時の回動半径を比較する図、図４から図８は開口部を閉口した状態（図４）から開口した状態（図８）までの一連の動作状態図を示す。
【００１１】
なお、開口部１ａは一対の羽根群により開閉される構成となっており、一対の羽根群は、先羽根群および後羽根群からなり、展開および重畳に際しての回動方向および開口部開閉のための走行前後において羽根の展開、重畳状態が互いに逆になる点を除き、実質的には同一であるため、以下は主に先羽根群について説明し、後羽根群については説明を省略する。
【００１２】
各図において、１は開口部１ａと軸１ｂ、１ｃと長穴部１ｄを有するシャッタ地板、２はシャッタ地板１を貫通して紙面裏面において不図示の駆動レバーと係合し、駆動レバーの駆動力を伝達する軸部２ａを有し、シャッタ地板１の軸部１ｂへ枢着される主リンク、３は軸部３ａを有しシャッタ地板１の１ｃへ枢着される従リンク、４は主リンク２の軸部２ａと従リンク３の軸部３ａにそれぞれ一端を枢支され、主リンク２と従リンク３とで第１の平行リンクを構成する連結板、５は５ａ部でスリット形成羽根７ａを、５ｂで２番羽根７ｂを、５ｃで３番羽根７ｃを、５ｄで４番羽根７ｄをそれぞれ枢支し、主リンク２の軸部２ａへ枢支されるとともに、シャッタ地板１の長穴１ｄと摺接する軸部５ｅを有する主アーム、６は６ａ部でスリット形成羽根７ａを、６ｂで２番羽根７ｂを、６ｃで３番羽根７ｃを、６ｄで４番羽根７ｄをそれぞれ枢支し、従リンク３の軸部３ａヘ枢支される従アームであり、主アーム５と従アーム６と遮光羽根群７とで第２の平行リンクがなるように構成されている。
【００１３】
上述のように構成されているシャッタ装置では、開口部１ａを開口させるときの動作について説明を行う。なお、シャッタのチャージ状態およびチャージ状態の保持等は公知の技術である。よって、シャッタの動作に対する説明は、公知の技術、例えばシャッタ駆動レバーに設けたアマチャーを磁気コイルの通電により吸着して、シャッタチャージを保持している状態から磁気コイルの通電を解除し、シャッタ羽根が走行を開始から終了までの間の動作説明とする。
【００１４】
上述の不図示の磁気コイルの通電を解除し、不図示の駆動レバーの駆動力が主リンク２の軸部２ａへ加わると、主リンク２は図４のＡ方向（反時計方向）へ回動を開始するため、主リンク２と従リンク３と連結板３で構成される第１の平行リンクは同様にＡ方向（反時計方向）への移動を開始する。
【００１５】
このとき、主アーム５は主リンク２の軸部２ａへ軸支されているため、第１の平行リンクの移動に伴い主アーム自体も移動を開始するが、主アーム５に設けた軸部５ｅがシャッタ地板１の長穴部１ｄへ摺接しているため、軸部５ｅはシャッタ走行方向と直交する図４のＣ方向へ移動のみが可能であり、シャッタ走行方向への移動の規制が加えられるため、第１の平行リンクの移動に伴い図４のＢ方向（時計方向）へ回動することになる。
【００１６】
主アーム５は、従アーム６および遮光羽根群７とで第２の平行リンクを構成しているため、第１の平行リンクの移動動作に伴い、第２の平行リンクは第１の平行リンクと互いに逆方向へ回動しながら移動を続け、図４の開口部１ａを遮光した状態から、図６の近傍の第１の平行リンクを構成する主リンク２および従リンク３と第２の平行リンクを構成する主アーム５と従アーム６が一直線上に並ぶ状態を経て、図８の開口部１ａを開口した状態まで移動し、開口部１ａを開口する動作は終了することになる。
【００１７】
このため、遮光羽根７の走行時に第１の平行リンクと第２の平行リンクを互いに逆方向へ回動させるようにして走行させ、図３に示すように従来の一点を中心として回動させるアーム５５（一点鎖線）に比べ、主アーム５（実線）の回動中心をシャッタ走行時に主リンク２で移動させるように構成することで、見かけ上の回動半径を大きくできるため、開口部１ａの短辺方向に相当する長さＬを移動させると、図３のａ寸法分シャッタ走行方向と直交する方向の移動量を少なくすることができることが可能になる。
【００１８】
このため、図２のＭ部の長さを従来のものよりも短縮することができるようになり、小型化が可能となる。また、遮光羽根の走行を行うリンク部材を従来と同様に開口部１ａの短辺から外側の走行方向と直交した方向へ設けるようにできるため、従来通りのカメラ内配置ができるようになるため、様々なカメラへの転用が容易になる。
【００１９】
また、本実施形態では、主アーム５の軸部５ｅと摺接する長穴部１ｄをシャッタ地板へ設ける構成としたが、長穴をカバー板へ設けても同様の効果を得ることができる。
【００２０】
（第２実施形態）
図９から図１７までに本実施形態のシャッタ装置を示す。図９はシャッタ装置の開口部を閉じた状態を示す図、図１０は開口部を開いた状態を示す図、図１１は作動時のアーム移動軌跡を比較する図、図１２から図１７は開口部を閉口した状態（図１２）から開口した状態（図１７）までの一連の動作状態図を示す。
【００２１】
なお、開口部１ａは一対の羽根群により開閉される構成となっており、一対の羽根群は、先羽根群および後羽根群からなり、展開および重畳に際しての回動方向および開口部開閉のための走行前後において羽根の展開、重畳状態が互いに逆になる点を除き実質的には同一であるため、以下は主に先羽根群について説明し、後羽根群については説明を省略する。また、第１実施形態と同一の部材については同一符号を用いる。
【００２２】
各図において、１は開口部１ａと軸１ｂ、１ｃと長穴部１ｅを有するシャッタ地板、２はシャッタ地板１を貫通して紙面裏面において不図示の駆動レバーと係合し、駆動レバーの駆動力を伝達するとともに、４番羽根７ｄを枢支する軸部２ａを有し、シャッタ地板１の軸部１ｂへ枢着される主リンク、３は４番羽根７ｄを枢支する軸部３ａを有し、シャッタ地板１の１ｃへ枢着され、主リンク２と４番羽根７ｄとで第１の平行リンクを構成する従リンク、５は５ａ部でスリット形成羽根７ａを、５ｂで２番羽根７ｂを、５ｃで３番羽根７ｃをそれぞれ枢支し、主リンク２の軸部２ａへ４番羽根７ｄと同軸上に軸支されるとともに、軸部２ａの軸支部からみて遮光羽根７ａ〜７ｃの枢支部と略反対方向へ延びる腕部を有し、この腕部に軸５ｅを有する主アーム、６は６ａ部でスリット形成羽根７ａを、６ｂで２番羽根７ｂを、６ｃで３番羽根７ｃをそれぞれ枢支し、従リンク３の軸部３ａへ４番羽根７ｄと同軸上に軸支され、主アーム５と遮光羽根群７ａ〜７ｃとで平行リンクを構成する従アーム、８はシャッタ地板１の軸部１ｅへ軸支させるとともに、他端部が主アーム５の軸部５ｅへ回動自在に軸支されるレバーにより構成されている。
【００２３】
上述したように構成されているシャッタ装置において、開口部１ａを開口させるときの動作について説明する。なお、シャッタのチャージ動作およびチャージ状態の保持等は、公知の技術である。よって、シャッタの動作に対する説明は、公知の技術、例えばシャッタ駆動レバーに設けたアマチャーを磁気コイルの通電により吸着してシャッタチャージを保持している状態から磁気コイルの通電を解除し、シャッタ羽根が走行を開始してから終了までの間の動作説明とする。
【００２４】
上述の不図示の磁気コイルの通電を解除し、不図示の駆動レバーの駆動力が主リンク２の軸部２ａへ加わると、主リンク２は図１２のＡ方向（反時計方向）へ回動を開始するため、主リンク２と従リンク３と４番羽根７ｄで構成される第１の平行リンクは同様にＡ方向（反時計方向）への移動を開始する。このとき、主アーム５は主リンク２の軸部２ａへ回動自在に軸支されているため、第１の平行リンクの移動に伴い主アーム自体も移動を開始するが、主アーム５は軸部５ｅでレバー８を軸支しているので主アーム５の移動に伴い、レバー８は図１２のＤ方向（時計方向）へ回動し、第１の平行リンクの移動による主アーム５の移動動作時にレバー８が軸部２ａを回転中心とした回動規制を受けながら回動することで、第１の平行リンクのＡ方向（時計方向）へ回動するときに、主アーム５を図１２のＢ方向（反時計方向）へ回動することになる。
【００２５】
主アーム５は、従アーム６および遮光羽根群７ａ〜７ｃとで第２の平行リンクを構成しているため、第１の平行リンクの移動動作に伴い、第２の平行リンクは第１の平行リンクと互いに逆方向へ回動しながら移動を続け、図１２の開口部１ａを遮光した状態から、図１５近傍の第１の平行リンクを構成する主リンク２および従リンク３と第２の平行リンクを構成する主アーム５と従アーム６が一直線上に並ぶ状態を経て、図１７の開口部１ａを開口した状態へ移動し、開口部１ａを開口する動作は終了することになる。
【００２６】
このため、遮光羽根群７ａ〜７ｃの走行時にレバー８の作用により第１の平行リンクと第２の平行リンクを互いに逆方向へ回動させるようにして走行させているため、図１１に示すように主アーム５のシャッタ走行時の移動軌跡は実線の如く蛇行した軌跡を描くことになり、従来の一点を中心として回動させるアーム５５（一点鎖線）に比べ、開口部１ａの短辺方向に相当する長さＬを移動させると、図１１のａ寸法分シャッタ走行方向と直交する方向の移動量を少なくすることが可能になる。
【００２７】
このため、図１１のＭ部の長さを従来のものよりも縮小することができるようになり、小型化が可能となる。また、遮光羽根の走行を行うリンク部分を従来と同様に開口部１ａの短辺から外側の走行方向と直交した方向へ設けるようにできるため、従来通りのカメラ内配置ができるようになるため、様々なカメラへの転用が容易になる。
【００２８】
また、本実施形態では、レバー８をシャッタ地板１へ設けるように構成されているが、レバー８をカバー板へ設けても同様の効果を得ることができる。
【００２９】
【発明の効果】
本発明では、略シャッタ走行方向へ回動する様に構成されている第１の平行リンク部材上に遮光羽根を有する第２の平行リンク部材を設けるとともに、第２の平行リンクを構成する一対のアームのどちらか一方にアーム回転中心を原点として遮光羽根を枢支する端部と略逆方向へ腕部を設け、腕部をシャッタ地板へ設けた長穴等により、腕部のシャッタ走行方向への移動を規制する事で、第１の平行リンクの回動動作により遮光羽根を有する第２の平行リンクが第１の平行リンクのシャッタ地板への枢着部を中心とした公転移動をするとともに、第２の平行リンクの一対のアームの内どちらか一方に設けた腕部で公転移動方向の移動を規制する事により、第２の平行リンク部材の公転移動と逆方向へ自転する様にする事で、第１の平行リンク部材の一対のリンクと第２の平行リンクの一対のアームが一直線上に並ぶ状態を通過し、第１の平行リンク部材の枢着部を基点として、第１の平行リンク部材と第２の平行リンク部材の配置が、移動開始時と移動終了時で互いに略逆配置になる様に動作させる構成である。
【００３０】
このため、第２の平行リンクを構成する一対のアームの短小化を図ったとしても、図３に示すように第２の平行リンクの回動による遮光羽根移動量の公転移動分が加わるので第２の平行リンクの見かけ上の回動半径が大きく、または略直線上に移動させる事が可能になることで、特にシャッタ装置（カメラ）の幅方向の寸法を小さくできる。
【００３１】
また、駆動部は従来と同じ様な位置へ配置が出来るため、自動焦点検出光学系の位置は従来通りでよく、様々なカメラにおいてシャッタ装置の共有化が可能となる。
【図面の簡単な説明】
【図１】シャッタ装置の開口部を閉じた状態を示す図。
【図２】開口部を開いた状態を示す図。
【図３】作動時の回勅半径を比較する図。
【図４】開口部の閉口状態から開口状態までの一連の動作状態を示す図。
【図５】開口部の閉口状態から開口状態までの一連の動作状態を示す図。
【図６】開口部の閉口状態から開口状態までの一連の動作状態を示す図。
【図７】開口部の閉口状態から開口状態までの一連の動作状態を示す図。
【図８】開口部の閉口状態から開口状態までの一連の動作状態を示す図。
【図９】シャッタ装置の開口部を閉じた状態を示す図。
【図１０】開口部を開いた状態を示す図。
【図１１】作動時のアーム移動軌跡を比較する図。
【図１２】開口部の閉口状態から開口状態までの一連の動作状態を示す図。
【図１３】開口部の閉口状態から開口状態までの一連の動作状態を示す図。
【図１４】開口部の閉口状態から開口状態までの一連の動作状態を示す図。
【図１５】開口部の閉口状態から開口状態までの一連の動作状態を示す図。
【図１６】開口部の閉口状態から開口状態までの一連の動作状態を示す図。
【図１７】開口部の閉口状態から開口状態までの一連の動作状態を示す図。
【図１８】従来例のシャッタ装置外観図。
【図１９】従来例のシャッタ装置の側面図。
【図２０】従来例のシャッタ装置の上面図。
【図２１】従来例でのシャッタ装置内の遮光羽根の配置を表す図。
【図２２】従来例のカメラ内部構造を表す図。
【符号の説明】
１・・・シャッタ地板
２・・・主リンク
３・・・従リンク
４・・・連結板
５・・・主アーム
６・・・従アーム
７・・・遮光羽根群
８・・・レバー
【図１】
2004004365.tif 000003
【図２】
2004004365.tif 000004
【図３】
2004004365.tif 000005
【図４】
2004004365.tif 000006
【図５】
2004004365.tif 000007
【図６】
2004004365.tif 000008
【図７】
2004004365.tif 000009
【図８】
2004004365.tif 000010
【図９】
2004004365.tif 000011
【図１０】
2004004365.tif 000012
【図１１】
2004004365.tif 000013
【図１２】
2004004365.tif 000014
【図１３】
2004004365.tif 000015
【図１４】
2004004365.tif 000016
【図１５】
2004004365.tif 000017
【図１６】
2004004365.tif 000018
【図１７】
2004004365.tif 000019
【図１８】
2004004365.tif 000020
【図１９】
2004004365.tif 000021
【図２０】
2004004365.tif 000022
【図２１】
2004004365.tif 000023
【図２２】
2004004365.tif 000024